(57)【特許請求の範囲】
【請求項１】
マンホールに設置される汚水用ポンプ装置において、
底面が低い位置にある深部と、この深部に傾斜部を介して連なる底面が前記深部より高い位置にある浅部とを有する予旋回槽と、
前記深部に吸込口が設置された水中ポンプと、
前記マンホールの水深を測定し、前記水中ポンプの起動・停止を制御する水位センサとを備え、
前記傾斜部には、前記水位センサを設置するための水平台部が傾斜面に対して凹状に形成されていることを特徴とする汚水用ポンプ装置。
【請求項２】
前記水位センサの一方の端部には錘が取り付けられていることを特徴とする請求項１に記載の汚水用ポンプ装置。
【請求項３】
前記傾斜部には、傾斜面に対して凸状に形成された越流堰が形成されていることを特徴とする請求項１に記載の汚水ポンプ装置。
【請求項４】
マンホールに設置される予旋回槽において、
底面が低い位置にある深部と、
この深部に傾斜部を介して連なる底面が前記深部より高い位置にある浅部と、
前記傾斜部に傾斜面に対して凹状に形成され、前記水位センサを設置するための水平台部とを備えていることを特徴とする予旋回槽。
【発明の詳細な説明】
【技術分野】
【０００１】
本発明は、溜められた汚水を排水する汚水用ポンプ装置及び排水装置に用いられる予旋回槽に関し、特に水位測定を正確に行うことができる技術に関する。
【背景技術】
【０００２】
浮遊物や沈澱物を含む汚水は、地下のマンホールに溜められている。そして所定量溜まると、マンホールに設置されている水中ポンプにより下水処理場に送られる。このような水中ポンプによる汚水用ポンプ装置が知られている（例えば、特許文献１参照）。この汚水用ポンプ装置は、汚水中に設置される予旋回槽を備えている。予旋回槽はマンホールの内壁面に沿って開口部が設けられた所定深さの浅部と、この浅部よりも深い深部とを備え、これら浅部と深部との間は、傾斜部を介して一体に成形されている。深部には水中ポンプの吸込管が配置されている。
【０００３】
予旋回槽に設置されている水中ポンプを起動すると、マンホール内の汚水は水中ポンプの吸込管から吸い込まれる。液位が高い間は汚水は旋回せずに深部に流入し、水中ポンプにより排出される。排出が進行し、傾斜部まで液位が下がると、汚水は予旋回槽内で旋回しながら深部に流入し、水中ポンプの吸込管から吸い込まれる。その結果、浮遊物、沈澱物等が汚水と同時に吸引排出される。
【０００４】
一方、水中ポンプの起動・停止は、マンホール内に設置された投込み式水位計によって計測された水位に基づいて行われている。この投込み式水位計は、チェーン等によりマンホールの蓋等から吊り下げられている。
【先行技術文献】
【特許文献】
【０００５】
【特許文献１】特開平３−８４１３６号公報
【発明の概要】
【発明が解決しようとする課題】
【０００６】
上述した汚水用ポンプ装置では、次のような問題があった。すなわち、投込み式水位計は汚水に浸かっているため、定期的に洗浄しないと汚物やスカムが付着し、正確な水位測定が困難になる。
【０００７】
また、筐体から気泡を出すことで汚物・スカムの付着を防止する機構を備えた投込み式水位計も知られているが、地上部までの連通部が必要であり、地上から加圧した空気の送付が必要であるため、構造が複雑であり高価となる。
【０００８】
そこで本発明は、投込み式水位計を用いた場合であっても汚物・スカムが付着しにくく、定期的な洗浄が不要となる汚水用ポンプ装置及び予旋回槽を提供することを目的としている。
【課題を解決するための手段】
【０００９】
前記課題を解決し目的を達成するために、本発明の汚水用ポンプ装置及び予旋回槽は次のように構成されている。
【００１０】
マンホールに設置される汚水用ポンプ装置において、底面が低い位置にある深部と、この深部に傾斜部を介して連なる底面が前記深部より高い位置にある浅部とを有する予旋回槽と、前記深部に吸込口が設置された水中ポンプと、前記マンホールの水深を測定し、前記水中ポンプの起動・停止を制御する水位センサとを備え、前記傾斜部には、前記水位センサを設置するための水平台部が傾斜面に対して凹状に形成されている。
【００１１】
マンホールに設置される予旋回槽において、底面が低い位置にある深部と、この深部に傾斜部を介して連なる底面が前記深部より高い位置にある浅部と、前記傾斜部に傾斜面に対して凹状に形成され、前記水位センサを設置するための水平台部とを備えている。
【発明の効果】
【００１２】
本発明によれば、投込み式水位計を用いた場合であっても汚物・スカムが付着しにくく、定期的な洗浄が不要となる。
【図面の簡単な説明】
【００１３】
【図１】本発明の一実施の形態に係る汚水用ポンプ装置が組み込まれたマンホールを示す断面図。
【図２】同汚水用ポンプ装置を示す平面図。
【図３】同汚水用ポンプ装置に組み込まれた予旋回槽の水平台部と投込み式水位計を示す説明図。
【発明を実施するための形態】
【００１４】
図１は本発明の一実施の形態に係る汚水用ポンプ装置１０が組み込まれたマンホールＭを示す断面図、図２は汚水用ポンプ装置１０を示す平面図、図３は汚水用ポンプ装置１０に組み込まれた予旋回槽２０の水平台部２４と投込み式水位計５０を示す説明図である。
【００１５】
汚水用ポンプ装置１０は、マンホール（ピット）Ｍ内に設置された予旋回槽２０と、水中ポンプ３０と、この水中ポンプ３０に取り付けられたポンプ着脱装置４０と、ポンプ着脱装置４０に取り付けられた投込み式水位計５０とを備えている。
【００１６】
予旋回槽２０は、内壁面に沿って開口部が設けられた所定深さの浅部２１と、この浅部２１よりも深い深部２２とを備え、これら浅部２１と深部２２との間は、傾斜部２３を介して一体に成形されている。傾斜部２３の一部には、傾斜面に対して凹状に形成された水平台部２４と、傾斜面に対して凸状に形成された越流堰２５が形成されている。水平台部２４は投込み式水位計５０が設置されている。越流堰２５は後述するガイドパイプＧの下端が取り付けられている。なお、水平台部２４は後述するブラケット４３の近傍に位置している。深部２２には水中ポンプ３０の吸込管３２が配置されている。
【００１７】
水中ポンプ３０は、電動機と羽根車を収容する筐体３１を備えている。筐体３１の底部には吸込管３２、側部には吐出管３３が設けられている。なお、吐出管３３は後述する連結直管４２を介して吐出し管３４に接続されている。水中ポンプ３０は制御部３５により、その起動・停止・回転数等が制御されている。
【００１８】
ポンプ着脱装置４０は、マンホールＭの開口部まで上下方向に延設されたガイドパイプ４１と、一端が水中ポンプ３０の吐出管３３に接続され、他端が吐出し管３４に接続される連結直管４２と、この連結直管４２に設けられたブラケット４３とを備えている。ブラケット４３は、ガイドパイプＧに沿って上下移動できるように配置されている。
【００１９】
ブラケット４３には、チェーン４４の基端が取り付けられ、その先端に投込み式水位計５０が吊り下げられている。投込み式水位計５０は、筒状に形成された筐体５１と、この筐体５１の底部に取り付けられた錘５２とを備えている。筐体５１内部に水位センサ５３が収容されている。水位センサ５３にはリード線５４が取り付けられ、水中ポンプ３０の制御部３５に接続されている。
【００２０】
このように構成された汚水用ポンプ装置１０は、次のように使用する。マンホールＭ内に水中ポンプ３０を設置する際に、投込み式水位計５０をブラケット４３のチェーン４４に取り付ける。これにより、投込み式水位計５０は錘５２により垂れ下がり、水平台部２４にその底面が接触する。
【００２１】
水中ポンプ３０が停止した状態で、マンホールＭ内に汚水が溜まってゆく。次第に、投込み式水位計５０の位置よりも汚水の水位が高くなる。これにより、水位センサ５３から水位信号が出力される。なお、投込み式水位計５０には浮力が作用するが、錘５２により水平台部２４から移動しない。
【００２２】
さらに、汚水が溜まり、予め定められた水位になると、制御部３５が起動指令を水中ポンプ３０に出力する。水中ポンプ３０が動作すると、吸込管３２から汚水を吸い込み、吐出管３３から吐出し、吐出し管３４を介して外部に排出される。
【００２３】
当初は汚水は越流堰２５を乗り越えて深部２２に流入する流れと、傾斜部２３を経由して深部２２に流入する流れに分かれる。汚水の排出が進むと、越流堰２５を乗り越えて深部２２に流入する流れは無くなり、傾斜部２３を経由して深部２２に流入する流れのみとなり、流れが旋回するようになる。
【００２４】
この時、投込み式水位計５０は流れの速い汚水中に位置することになるが、投込み式水位計５０が水平台部２４上で安定して配置されているので、固定されていないが移動することはない。この時の、汚水に十分浸かっている上に汚水との相対速度が大きく、汚物・スカムが投込み式水位計５０の筐体５１に付着していても流れ落とされる。このため、投込み式水位計５０に汚物・スカムが付着しにくく、定期的な洗浄が不要となる。
【００２５】
なお、投込み式水位計５０が安定しておらず、汚水の流れにのってしまうと、汚水に十分浸からないことになり、一旦付着した汚物・スカムが流れ落ちることがない。
【００２６】
続いて、汚水の水位が低くなり、投込み式水位計５０から水位信号が出力されなくなると、制御部３５内のタイマにより所定時間だけ水中ポンプ３０が駆動され、停止する。
【００２７】
上述したように本実施の形態に係る汚水用ポンプ装置１０によれば、排水時に生じる汚水の流れによって投込み式水位計５０に付着した汚物・スカムを流れ落とすことができる。このため、定期的な洗浄が不要となる。
【００２８】
なお、本発明は前記実施の形態に限定されるものではなく、本発明の要旨を逸脱しない範囲で種々変形実施可能であるのは勿論である。
【符号の説明】
【００２９】
１０…汚水用ポンプ装置、２０…予旋回槽、２１…浅部、２２…深部、２３…傾斜部、２４…水平台部、３０…水中ポンプ、３２…吸込管、３５…制御部、４０…ポンプ着脱装置、４３…ブラケット、５０…投込み式水位計、Ｍ…マンホール（ピット）、Ｇ…ガイドパイプ。
【図１】
0005608585.tif 000002
【図２】
0005608585.tif 000003
【図３】
0005608585.tif 000004